(57)【要約】【課題】乱流によるアクチュエータアームの振動を抑制する事により  位置決め精度の高い磁気ディスク装置を提供する。【解決手段】ディスクの高速回転に伴ってディスク表面を流れる旋回空気流に対してアクチュエータアームを迂回する分岐流路と分岐流路に空気流を導く２つの壁を上下流部に設ける事により、旋回空気流の大部分を分岐流路に迂回させ、アクチュエータアームに対する空気流量を減少させた。【選択図】  図１
2004171713.tif 000002
【特許請求の範囲】
【請求項１】
回転軸上に位置するディスクと、前記ディスクに対して情報の読み出しまたは書き込みを行うヘッドと、前記ヘッドを支持しかつ移動させるアクチュエータアームと、前記アクチュエータアームを駆動させるボイスコイルモーターとがハウジング内に収容されているディスク装置において、
前記ディスクの回転によって生じる旋回空気流を前記アクチュエータアームに対して前記旋回空気流の上流側から前記旋回空気流の下流側に迂回させる分岐流路を前記ハウジングとの間に設け、前記アクチュエータアームの上流側と下流側において前記旋回空気流を前記分岐流路に導くための壁を前記ディスク表面上でかつ前記ディスク面と所定の距離を有し、前記アクチュエータアームの上流側及び下流側に設けた事を特徴とする磁気ディスク装置。
【請求項２】
請求項１に記載の分岐流路の少なくとも一部は、前記ディスクより前記ディスクの半径方向に離れた位置に配置した事を特徴とする磁気ディスク装置。
【請求項３】
請求項１に記載の分岐流路の少なくとも一部は、前記ディスクの垂直面上に配置された事を特徴とする磁気ディスク装置。
【請求項４】
請求項１に記載の分岐流路の少なくとも一部は、前記ボイスコイルモーターと前記ハウジングの間にあって、前記旋回空気流を前記アクチュエータアームの上流側から下流側に導くものである事を特徴とする磁気ディスク装置。
【請求項５】
請求項２と請求項４に記載の前記壁は、少なくともその一部が湾曲して形成された曲面を有する事を特徴とする磁気ディスク装置。
【請求項６】
前記ディスクが２枚で構成される際に、請求項３に記載の分岐流路の前記ディスク面側の壁は、前記ディスク面に平行な２枚の円盤により構成され、前記円盤により前記２枚分のディスクを両側より挟むように配置され、前記１枚目の円盤と１枚目のディスク面と他の１枚のディスク面と他の円盤とのそれぞれの距離の比率が、１対２対１の比率からなる隙間を有して固定される事を特徴とする磁気ディスク装置。
【請求項７】
請求項１に記載の分岐流路の少なくとも一部は、前記ディスクの垂直面上かつ前記ディスクより前記ディスクの半径方向に離れた両方の位置に配置された事を特徴とする磁気ディスク装置。
【発明の詳細な説明】
【０００１】
【発明の属する技術分野】
本発明は、磁気ディスク装置において、ディスクの高速回転により発生する旋回空気流により発生するアーム及びヘッドの振動を低減することにより、ヘッドのディスクに対する位置決め精度を向上させる為の構造に関するものである。
【０００２】
【従来の技術】
従来この種の機構としては、例えば、特許文献１の中の第１図に示されたスポイラやシュラウドによりディスク回転により発生する旋回空気流の減速及び整流効果により、ヘッドの位置決め精度に対する風乱の影響を低減させることが提案されていた。
【０００３】
【特許文献１】
特開２００２−１８４１５４号公報（第３〜４頁、第１図）
【０００４】
【本発明が解決しようとする課題】
しかしながら、前記従来の構成では、結局アクチュエータアーム及びヘッドは旋回空気流の流路中に配置された構造をとっているために、スポイラにより向きを変えられた空気流の位置にアクチュエーターアームを移動させたときヘッドの位置決め精度が低下する。また、旋回流中に配置されたスポイラとアクチュエータアームにより生じた空気流の乱れがアクチュエータアームを振動させ、ヘッドの位置決め精度を低下させる。
【０００５】
【課題を解決するための手段】
前記従来の課題を解決する為に、ディスク回転により発生する旋回空気流の流路中に分岐流路を設け、アクチュエーターアームへの空気流量自体を減少させる事により、風乱によるヘッドの位置決め精度の低下を防止させるものである。
【０００６】
【発明の実施の形態】
請求項１に記載の発明は、旋回空気流の流路中にアーム部を迂回する分岐流路を設け、旋回空気流の一部または大部分を分岐流路で迂回させることにより、正味のアームとヘッドへの空気流量を減少させる。
【０００７】
請求項２に記載の発明は、旋回空気流に対してアームの上流側と下流側に分岐流路に空気流を導くための壁を設ける事により、アームへの空気流量を効果的に減少させる事が出来る。請求項６と請求項８と請求項９に記載の発明は、壁の形状を旋回空気流の向きに対して滑らかに分岐流路に導く事により、旋回空気流の分岐部及び合流部における圧損を減少させる事が出来る。
【０００８】
請求項７に記載の発明は、分岐流路の流路面積を旋回空気流の流路面積と同じ大きさにする事により空気流の流速の変動を抑制する事が出来る。
【０００９】
（実施の形態１）
以下、本発明の実施の形態について、図１〜５を参照しながら説明する。
【００１０】
図１、図２は本発明の第１の実施形態を示すもので、図２は図１の断面Ａ−Ａを示す。本発明の磁気ディスク装置はハウジング１と、スピンドルモータ２の回転軸３上に積層され高速で回転するディスク４〜７と、ディスク４〜７に対して情報を読み書きをするヘッド８を支持するアーム９と、アーム回転軸１０を中心にアーム９を揺動駆動させるボイスコイルモータ１１と、後述する分岐流路１２と壁１３〜１８とから構成されている。
【００１１】
本発明の特徴は、ディスク４〜７の回転に伴い各ディスク面上に発生する強い旋回空気流１９を迂回させるための分岐流路１２と壁１３〜１８を設けた点である。
【００１２】
実施形態１では分岐流路１２はディスク外周部の壁２０を取り囲むように設けられている。上流側壁１３と下流側壁１４〜１８は、積層されたディスク４〜７の間及び固定壁面２１、２２とディスク４、７の間に挿入した状態でハウジング１にスクリュウ２３、２４にて固定される。（図の簡略化のために上流側壁１３について断面図を省略したが、壁１３も図２に示した下流側壁１４〜１８に相当する複数の壁を持つ。）壁１３、１４〜１８の先端部２５、２６は旋回空気流１９の方向に平行な面を持ち、分岐流路１２の外壁２７に対して円弧等の滑らかな曲線により接続されている。迂回流路１２への流量を増やすために、壁１３、１４〜１８は可能な限り各ディスク面及び固定壁面２１、２２に接近させる。上流側壁１３はアーム９が最内周側に移動したときのアーム左側面近傍に配置される。下流側壁１４〜１８はアーム９を最内周から最外周に移動させたときのヘッド８先端部が描く軌跡の外側近傍に配置される。
【００１３】
以上の様に構成された壁１３、１４〜１８によりディスク４〜７により生じた旋回空気流１９の大部分を分岐流路１２を経由して分岐空気流２８〜３０の様に迂回させる事が出来る。従って、アーム９及びヘッド８へ向かって流れる正味の空気流量はおおよそ壁１３、１４〜１８に囲まれたディスク４〜７への投影面積に比例して一様に減少させる事ができる。その結果、アーム９及びヘッド８に対する風乱による振動が減少し、ヘッド８の位置決め精度が向上する。
【００１４】
図３は本発明の第２の実施形態を示すものである。前述の第１の実施形態との大きな違いは分岐流路３１をボイスコイルモータ３２を取り囲むように配置している点である。分岐流路３０中の分岐空気流３３〜３７の向きをディスク３８の高速回転に伴い発生する旋回空気流３９の向きから大きく変えずに再び３９に合流させる事ができるため、第１の実施形態による効果に加えてディスク面上における空気流の整流効果を付加しディスク３８の面外振動であるフラッターを抑制することができ、更にヘッド４０の位置決め精度を向上することが出来る。
【００１５】
図４、５は本発明の第３の実施形態を示すものである。図５は図４におけるＡ−Ａ断面図を示す。前述の実施形態１、実施形態２との大きな違いは分岐流路４１をディスク４２、４３の間に設ける事により、平面方向の面積の制約のため平面方向に分岐流路を設けることのできない製品において本発明を実施する事が可能となる。
【００１６】
分岐流路４１は後述するように一部を切り欠いた２枚の円盤４４、４５をディスク４２、４３の間に４２、４３に対して平行に挿入することにより形成される。圧力変動により各円盤４４、４５ならびにディスク４２、４３の振動を抑制するために、各円盤４４、４５はディスク４２、４３との隙間が１対２対１になるように挿入する。円盤４４、４５はディスク４２、４３を取り囲むシュラウド部４６と一体化されており、ハウジング４７にスクリュウ４８〜５０で固定される。円盤４４、４５はスピンドルモータ５１の外周部と干渉しない程度に小隙間を取って接近している。円盤４４、４５は切り欠き５２、５３を持ち、壁５４、５５と対向する。上流側壁５４は、アクチュエータアーム５６が最内周位置に移動したときに当たらない位置に可能な限り接近させて配置する。下流側壁５５は、ヘッド５７を最内周から最外周に移動させたときにヘッド５７先端が描く軌跡に当たらない程度に接近させて配置する。各壁５４、５５の側面５８、５９、及び、円盤４４、４５の切り欠き５２、５３は旋回空気流６０〜６３に対して所定の角度を持ち、滑らかに旋回空気流６０〜６３を分岐流路４１に導く。以上のように構成された壁５４、５５及び分岐流路４１により、旋回空気流６０〜６３の大部分を分岐流路４１を経由して、分岐空気流６４〜６７の様に迂回させることが出来る。従って、アクチュエータアーム５６及びヘッド５７への正味の空気流量を減少させ、アクチュエータアーム５６及びヘッド５７に対する風乱による振動を低減することが出来る。結果として、ヘッド５７の位置決め精度を向上することが出来る。
【００１７】
【発明の効果】
以上のように、請求項１〜９に記載の発明によれば、高速回転するディスクにより発生する旋回空気流によるアクチュエータアーム及びヘッドに対する空気流量を減少させる事により、風乱によるヘッドの位置決め精度の低下を防止する事ができる。
【図面の簡単な説明】
【図１】本発明の実施形態１における磁気ディスク装置の構成を示す平面図及び空気流を示す図
【図２】本発明の実施形態１における磁気ディスク装置の構成を示す横断面図
【図３】本発明の実施形態２における磁気ディスク装置の構成を示す平面図および空気流を示す図
【図４】本発明の実施形態３における磁気ディスク装置の構成を示す平面図
【図５】本発明の実施形態３における磁気ディスク装置の構成を示す横断面図及び空気流を示す図
【符号の説明】
１  ハウジング
２  スピンドルモータ
４  ディスク
５  ディスク
６  ディスク
７  ディスク
８  ヘッド・アクチュエータアーム
１０  ボイスコイルモータ
１１  ボイスコイルモータ
１２  分岐流路
１３  上流側壁
１４  下流側壁
１５  下流側壁
１６  下流側壁
１７  下流側壁
１８  下流側壁
１９  旋回空気流
２０  シュラウド
２１  固定壁
２２  固定壁
２３  スクリュウ
２４  スクリュウ
２８  分岐空気流
２９  分岐空気流
３０  分岐空気流
３１  分岐流路
３２  ボイスコイルモータ
３３  分岐空気流
３４  分岐空気流
３５  分岐空気流
３６  分岐空気流
３７  分岐空気流
３８  ディスク
３９  旋回空気流
４１  分岐流路
４２  ディスク
４３  ディスク
４４  円盤
４５  円盤
４６  シュラウド
４７  ハウジング
４８  スクリュウ
４９  スクリュウ
５０  スクリュウ
５１  スピンドルモータ
５４  上流側壁
５５  下流側壁
５６  アクチュエータアーム
５７  ヘッド
６０  スクリュウ
６１  スクリュウ
６２  スクリュウ
６３  スクリュウ
６４  分岐空気流
６５  分岐空気流
６６  分岐空気流
６７  分岐空気流
【図１】
2004171713.tif 000003
【図２】
2004171713.tif 000004
【図３】
2004171713.tif 000005
【図４】
2004171713.tif 000006
【図５】
2004171713.tif 000007